(57)【要約】    【課題】  モール本体に取り付けた状態において、隙間を生じ難くすることができ、かつ優れた意匠性を発揮することができる。    【解決手段】  引掛部１０は、前面１００ａと後面１００ｂとが互いに向い合いながら傾斜面となり、側面１００ｃが台形形状である四角柱の第１段部１００と、第１段部１００の上段に位置し、前面１０１ａが傾斜面となり、後面１０１ｂが垂直面となり、側面１０１ｃが台形形状である四角柱の第２段部１０１とを備えている。【選択図】  図３
2005104168.tif 000002
【特許請求の範囲】
【請求項１】
車体用のモール本体の端部に係止されるキャップ端部と、該キャップ端部から延在し、該モール本体に挿入されるモール挿入部と、該モール挿入部に設けられており、該モール本体に係止される引掛部とを備えたモールエンドキャップにおいて、
前記引掛部は、前面と後面とが互いに向い合いながら傾斜面となり、側面が台形形状である四角柱の第１段部と、該第１段部の上段に位置し、該前面が該傾斜面となり、該後面が垂直面となり、該側面が台形形状又は三角形状である四角柱又は四角錘の第２段部とを備えていることを特徴とするモールエンドキャップ。
【請求項２】
前記第１段部及び前記第２段部の前記前面は連続する同一面であることを特徴とする請求項１記載のモールエンドキャップ。
【請求項３】
前記モール挿入部は前記モール本体への挿入方向に向かって延在する板ばね部を有し、該板ばね部に前記引掛部が設けられていることを特徴とする請求項１又は２記載のモールエンドキャップ。
【請求項４】
前記モール本体への挿入方向に対して垂直方向に延在し、車体に係合する係合部を備えており、該係合部は前記引掛部の近傍に位置していることを特徴とする請求項１乃至３記載のモールエンドキャップ。
【発明の詳細な説明】
【技術分野】
【０００１】
本発明はモール本体の端部に取り付けるためのモールエンドキャップに関する。
【背景技術】
【０００２】
従来のモールエンドキャップとしては、特許文献１又は２に記載されたものが知られている。そのモールエンドキャップは、車体用のモール本体の端部に係止されるキャップ端部と、モール本体に挿入されるモール挿入部と、モール本体に係止される引掛部とを備えている。
【０００３】
特許文献１では、モールエンドキャップを取り付けるモール本体の内周面にＰＶＣ樹脂製の係止被膜を被覆していることが開示されている。このため、モールエンドキャップの引掛部がその係止被膜に係止されるようになっている。
【０００４】
また、特許文献２では、モール本体に切欠部を形成していることが開示されている。このため、モールエンドキャップの引掛部が切欠部に係止されるようになっている。
【０００５】
こうして、モール挿入部をモール本体に挿入すれば、引掛部がモール本体の係止被膜や切欠部に係止され、モール本体にモールエンドキャップを取り付けることができる。
【特許文献１】実開平５−８２６９４号公報
【特許文献２】特開平１１−３４７５７号公報
【発明の開示】
【発明が解決しようとする課題】
【０００６】
しかし、上記記載の一方のモールエンドキャップでは、モール本体の内周面に係止被膜が形成されているため、係止被膜の弾性力によって、引掛部が揺らいでしまう場合があり得る。また、上記記載の他方のモールエンドキャップでは、モール本体に切欠部が形成されているため、切欠部の位置やその大きさにバラツキが生じていれば、引掛部を確実に係止できない場合があり得る。このため、モール本体の端部とエンドキャップとの間に隙間が生じてしまい、モールエンドキャップをモール本体に取り付けた状態における優れた意匠性を発揮することができない。
【０００７】
本発明は、上記従来の実情に鑑みてなされたものであって、モール本体に取り付けた状態において、隙間を生じ難くすることができ、かつ優れた意匠性を発揮することができるモールエンドキャップを提供することを解決すべき課題としている。
【課題を解決するための手段】
【０００８】
発明者らは、上記課題を解決するため鋭意研究した結果、モールエンドキャップとモール本体との係止位置に多少の誤差が生じた場合であっても、その誤差を自動的に補正し得る構成に着目するに至った。
【０００９】
すなわち、上記課題を解決するために本発明において講じた技術的手段は、請求項１に記載の様に、車体用のモール本体の端部に係止されるキャップ端部と、該キャップ端部から延在し、該モール本体に挿入されるモール挿入部と、該モール挿入部に設けられており、該モール本体に係止される引掛部とを備えたモールエンドキャップにおいて、前記引掛部は、前面と後面とが互いに向い合いながら傾斜面となり、側面が台形形状である四角柱の第１段部と、該第１段部の上段に位置し、該前面が該傾斜面となり、該後面が垂直面となり、該側面が台形形状又は三角形状である四角柱又は四角錘の第２段部とを備えていることを特徴とする。
【００１０】
ここで、第１段部及び第２段部の前面とはモール本体への挿入方向に向いている面をいい、第１段部及び第２段部の後面とはキャップ端部方向に向いている面をいう。その際、第１段部の前面と後面とは、同じ角度で傾斜していてもよく、異なる角度で傾斜していてもよい。
【００１１】
また、本発明において講じた技術的手段は、請求項２に記載の様に、第１段部及び第２段部の前面は連続する同一面であることを特徴としている。
【００１２】
その際、第１段部の上面と第２段部の下面とは同一面で形成されていることが好ましく、第１段部及び第２段部の側面は連続する同一面で形成されていることが好ましい。
【００１３】
さらに、本発明において講じた技術的手段は、請求項３に記載の様に、モール挿入部はモール本体への挿入方向に向かって延在する板ばね部を有し、板ばね部に引掛部が設けられていることを特徴としている。
【００１４】
また、本発明において講じた技術的手段は、請求項４に記載の様に、モール本体への挿入方向に対して垂直方向に延在し、車体に係合する係合部を備えており、係合部は引掛部の近傍に位置していることを特徴としている。
【００１５】
ここで、引掛部の近傍に位置するとは、例えば、モール本体への挿入方向に向かって、引掛部の前側やその後側に位置することである。
【発明の効果】
【００１６】
請求項１に記載の発明によれば、車両用のモール本体にモールエンドキャップのモール挿入部を挿入する際、引掛部において、第１段部の前面と第２段部の前面とが傾斜面となっているため、モール挿入部がモール本体に挿入されやすくなっている。そして、引掛部において、第１段部の前面及びその後面と第２段部の前面及びその後面とでモールエンドキャップがモール本体に係止される。特に、モール本体とモールエンドキャップとの係止位置に多少の誤差が生じている場合であっても、傾斜面である第１段部の前面及びその後面、傾斜面である第２段部の前面、若しくは垂直面である第２段部の後面のいずれかがモール本体に係止されることとなる。そして、いずれかの面がモール本体に係止されるだけで、それらの面とキャップ端部との間でモールエンドキャップをモール本体に取り付けることができる。このため、モールエンドキャップとモール本体との係止位置に生じている誤差を自動的に補正することができる。こうして、それらの係止位置が自動的に補正されれば、モールエンドキャップのキャップ端部とモール本体の端部との間に隙間が生じ難くなり、モールエンドキャップをモール本体に取り付けた状態において、意匠性が優れることとなる。
【００１７】
したがって、本発明のモールエンドキャップであれば、モール本体に取り付けた状態において、隙間を生じ難くすることができ、かつ優れた意匠性を発揮することができる。
【００１８】
また、請求項２に記載の発明によれば、モールエンドキャップの引掛部において、第１段部の前面と第２段部の前面とが連続する同一面で形成されているため、モールエンドキャップのモール挿入部を滑らかにモール本体に挿入することができる。
【００１９】
さらに、請求項３に記載の発明によれば、モール本体への挿入方向に向かって延在する板ばね部に引掛部が設けられているため、板ばね部の弾性力によって、引掛部をモール本体側へ押し出すことができる。このため、モール本体にモールエンドキャップの引掛部が係止されやすくなる。
【００２０】
また、請求項４に記載の発明によれば、モール本体への挿入方向に対して垂直方向に延在し、車体に係合する係合部が備えられているため、モールエンドキャップを取り付けたモール本体を車体に係合させることができる。このため、車体からモールエンドキャップ及びモール本体の脱落を防止することができる。その際、その係合部が引掛部の近傍に位置しているため、モールエンドキャップの全長を小さくすることができる。このため、モールエンドキャップの製造コストの低廉化を実現することができる。
【発明を実施するための最良の形態】
【００２１】
以下、本発明を実施するための最良の形態について、実施形態を参照しつつ図面を基に説明する。
【００２２】
（実施形態）
実施形態のモールエンドキャップは、ポリエステル樹脂製であり、図１に示すように、拡径されたキャップ端部１２と、キャップ端部１２から延在するモール挿入部１４とを備えている。モール挿入部１４には平行に延在する板ばね部１６が設けられており、板ばね部１６の中央には引掛部１０が凸設されている。このようなモール挿入部１４及び板ばね部１６の先端には、その延在方向に対して垂直方向に延在する略Ｖ字形状の係合部１８が設けられている。そして、モール挿入部１４及び板ばね部１８は、図２に示すモール本体２０の開口端部２２に向かって延在している。こうして、モールエンドキャップ側から見てモール本体２０の開口端２２側を挿入方向としている。そして、挿入方向を前とし、反対方向を後としている。
【００２３】
特に、図３に示すように、モールエンドキャップの引掛部１０では、板ばね部１６上に第１段部１００が形成されており、第１段部１００の上段に第２段部１０１が形成されている。第１段部１００では、前面１００ａと後面１００ｂとが互いに向い合いながら傾斜面となっている。その際、第１段部の前面１００ａと後面１００ｂとは、同じ角度で傾斜していてもよく、異なる角度で傾斜していてもよい。こうして、第１段部１００は、側面１００ｃを台形形状とする四角柱となっている。そして、第１段部１００上段の第２段部１０１では、前面１０１ａが傾斜面となって第１段部１００の前面１００ａと連続する同一面となっている。また、その第２段部１０１では、後面１０１ｂが垂直面となって第１段部１００の後面１００ｂに繋がっている。こうして、第２段部１０１は、側面１０１ｃを台形形状とする四角柱となっている。なお、第２段部１０１は側面１０１ｃを三角形とする四角錘となっていてもよい。そして、第１段部１００の上面１００ｄと第２段部１００の下面１０１ｄとは同一面となっている。
【００２４】
以上のようにして構成されるモールエンドキャップは、図２に示すモール本体２０に挿入されることとなる。モール本体２０には、モールエンドキャップのモール挿入部１４等が挿入される略コ字形状の開口端部２２が形成されており、モール挿入部１４等の挿入方向において、開口端部２２から所定の距離に位置する切欠部２４が成形されている。
【００２５】
こうして、図４に示すように、モール本体２０の開口端部２２にモールエンドキャップのモール挿入部１４等が挿入される。その際、引掛部１０は第１段部１００及び第２段部１０１によって構成されているため、第１、２段部１００、１０１の前面１００ａ、１０１ａによってモールエンドキャップのモール挿入部１４等を滑らかにモール本体２０に挿入することができる。
【００２６】
そして、モールエンドキャップのモール挿入部１４等がモール本体２０に挿入されることによって、引掛部１０が切欠部２４に係止される。その際、モールエンドキャップの先端に設けられた係合部１８はモール本体２０の長手方向に対して垂直方向に突出することとなる。こうして、モールエンドキャップを取り付けたモール本体２０は、図５に示すように、車体のドアパネル３０のウェザーストリップ３２の一部として取り付けられる。その際、モールエンドキャップの係合部１８は、車体のドアパネル３０内に係合されることとなる。このため、車体のドアパネル３０からモールエンドキャップ及びモール本体２０の脱落を防止することができる。また、図１に示すように、モールエンドキャップの係合部１８は、引掛部１０の近傍に位置することとなるため、モールエンドキャップの全長を小さくすることができる。このため、モールエンドキャップの製造コストの低廉化を実現することができる。
【００２７】
ここで、モール本体２０に成形された切欠部２４とモールエンドキャップの引掛部１０との係止位置は、切欠部２４の大きさやその位置のバラツキによって、微妙なズレを生じている場合があり、図６（ａ）〜（ｃ）に示すような場合があり得る。すなわち、図６（ａ）に示すような場合では、切欠部２４の前端が所定の位置より後側にずれていたり、切欠部２４の大きさが所定の大きさより大きくなっていたりしている。その際、板ばね部１６の弾性力によって引掛部１０が押し出され、第１段部１００の前面１００ａ又は第２段部１０１の前面１０１ａが切欠部２４の前端に係止される。それに対して、上述した引掛部１０に替えて破線で示した単なる山形状の引掛部９０が設けられている場合では、同様に係止され得る。また、図６（ｂ）に示すような場合では、切欠部２４の大きさが所定の大きさより小さくなっている。その際、上述と同様に引掛部１０が押し出され、引掛部１０の第１段部１００の前面１００ａ及びその後面１００ｂ、若しくはその第２段部１０１の前面１０１ａ及びその後面１０１ｂが切欠部２４の両端に係止される。それに対して、上述した引掛部１０に替えて破線で示した単なる山形状の引掛部９０が設けられている場合では、引掛部９０を切欠部２４に係止させることができなくなってしまう。さらに、図６（ｃ）に示すような場合では、切欠部２４の後端が所定の位置より前側にずれている。その際、上述と同様に引掛部１０が押し出され、引掛部１０の第２段部１０１の後面１０１ｂだけが切欠部２４の後端に係止される。これに対して、上述した引掛部１０に替えて破線で示した単なる山形状の引掛部９０が設けられている場合では、引掛部９０を切欠部２４に係止させることができなくなってしまう。このように、モール本体２０の切欠部２４の位置やその大きさにバラツキが生じることにより、モールエンドキャップの引掛部１０とモール本体２０の切欠部２４との係止位置に多少の誤差を生じている場合がある。このような場合であっても、引掛部１０が第１、２段部１００、１０１の前面１００ａ、１０１ａ及びその後面１００ｂ、１０１ｂを有しているため、それらの面をモール本体２０の切欠部２４に係止することができる。こうして、それらの面とキャップ端部１２との間でモールエンドキャップをモール本体２０に取り付けることができる。このため、モールエンドキャップの引掛部１０とモール本体２０の切欠部２４との係止位置に生じている誤差を自動的に補正することができる。こうして、それらの係止位置が自動的に補正されれば、モールエンドキャップのキャップ端部１２とモール本体２０の開口端部２２との間に隙間が生じ難くなり、モールエンドキャップをモール本体２０に取り付けた状態において、意匠性が優れることとなる。
【００２８】
したがって、実施形態のモールエンドキャップであれば、モール本体２０に取り付けた状態において、隙間を生じ難くすることができ、かつ優れた意匠性を発揮することができる。
【００２９】
なお、第２段部１０１が四角錘であれば、上述した傾向が顕著なものとなる。
【図面の簡単な説明】
【００３０】
【図１】実施形態に係わり、モールエンドキャップの全体斜視図である。
【図２】実施形態に係わり、モール本体とモールエンドキャップとの全体斜視図である。
【図３】実施形態に係わり、引掛部の拡大側面図である。
【図４】実施形態に係わり、モールエンドキャップが取り付けられたモール本体の全体斜視図である。
【図５】実施形態に係わり、車体のドアパネルの全体側面図である。
【図６】実施形態に係わり、図（ａ）〜（ｃ）は引掛部と切欠部との拡大側面図である。
【符号の説明】
【００３１】
２０…モール本体
２２…開口端部（端部）
１２…キャップ端部
１４…モール挿入部
１０…引掛部
１００ａ、１０１ａ…前面
１００ｂ、１０１ｂ…後面
１００ｃ、１０１ｃ…側面
１００…第１段部
１０１…第２段部
１６…板ばね部
１８…係合部
【図１】
2005104168.tif 000003
【図２】
2005104168.tif 000004
【図３】
2005104168.tif 000005
【図４】
2005104168.tif 000006
【図５】
2005104168.tif 000007
【図６】
2005104168.tif 000008